(57)【要約】【課題】床暖房機器の床面の温度が高くなりすぎずに安定した温度に設定できる床暖房装置を提供する。【解決手段】ポンプ７と床暖房機器３とを配管で接続することにより熱媒循環経路１を構成した床暖房装置である。ポンプ７を駆動することによって、加熱源により加熱された熱媒を上記熱媒循環経路１内に循環供給するようにした。定常時の温度制御とは別に、床暖房機器３への往き側の熱媒温度の上限値を設けた。加熱源はヒートポンプによって加熱される水熱交換器２１である。床暖房機器３への往き側の熱媒温度に代えて、水熱交換器２１の温度を用いる。【選択図】図１
2006046703.tif 000002
【特許請求の範囲】
【請求項１】
ポンプ（７）と床暖房機器（３）とを配管で接続することにより熱媒循環経路（１）を構成し、上記ポンプ（７）を駆動することによって、加熱源により加熱された熱媒を上記熱媒循環経路（１）内に循環供給するようにした床暖房装置において、定常時の温度制御とは別に、床暖房機器（３）への往き側の熱媒温度の上限値を設けたことを特徴とする床暖房装置。
【請求項２】
立上運転開始時に、定常運転時よりも熱媒温度を高くすることを特徴とする請求項１の床暖房装置。
【請求項３】
立上運転開始時から上記上限値を順次低下させることを特徴とする請求項１の床暖房装置。
【請求項４】
上記加熱源はヒートポンプによって加熱される水熱交換器（２１）であり、上記床暖房機器（３）への往き側の熱媒温度に代えて、上記水熱交換器（２１）の温度を用いることを特徴とする請求項１〜請求項３のいずれかの床暖房装置。
【請求項５】
往き側の設定温度と熱媒温度の検知値との差に基づいて上記上限値の補正を行うことを特徴とする請求項１〜請求項３のいずれかの床暖房装置。
【請求項６】
上記床暖房機器（３）に使用する床パネル（４）の熱容量等のパネル特性に応じて、上記上限値又は各段階での上限値温度時間のいずれか少なくとも一方を切換える制御手段（３８）を設けたことを特徴とする請求項１又は請求項２の床暖房装置。
【発明の詳細な説明】
【技術分野】
【０００１】
この発明は、床暖房装置に関するものである。
【背景技術】
【０００２】
床暖房装置として、ヒートポンプ加熱源にて加熱された温水を床暖房機器に供給するものがある。（例えば、特許文献１参照）。すなわち、この種の床暖房装置は、一般には、図４に示すように、ポンプ５１と床暖房機器５２とを配管で接続することにより水循環経路５３を構成し、上記ポンプ５１を駆動することによって、加熱源である水熱交換器５４により加熱された温水を上記水循環経路５３内に循環供給するものである。
【０００３】
この場合、圧縮機５５と、上記水熱交換器５４と、膨張弁５６と、蒸発器（空気熱交換器）５７等を順に接続して、ヒートポンプユニットを構成している。そして、圧縮機５５が駆動すると、圧縮機５５からの吐出冷媒が、水熱交換器５４、膨張弁５６、空気熱交換器５７等を順次経由して圧縮機５５へと返流する。そのため、水循環経路５３の熱交換路５８を流通する水が水熱交換器５４によって加熱され、この温水が床暖房機器５２を循環して床暖房を行うことになる。
【特許文献１】特開２００２−１２２３３４号公報
【発明の開示】
【発明が解決しようとする課題】
【０００４】
ところで、床暖房機器５２は、床パネルと、この床パネルの下方に配置される温水循環用パイプとを備え、この温水循環用パイプを温水が循環することによって、床パネルを加熱することになる。この場合、床暖房機器５２の出口５２ｂ側に、温度検出手段としての温度センサ６０を配置して、水熱交換器５４側に戻る戻り温水の温度を検知し、この戻り温水の温度に基づいて床暖房機器５２の床パネルの温度を制御するようにしている。
【０００５】
そして、この床パネルとしては、図６（ａ）（ｂ）（ｃ）に示したようなものがある。床暖房パネルの特性は、上面放熱量では、図６（ｃ）＞図６（ｂ）＞図６（ａ）となり、立上げ時の温度上昇では、図６（ｃ）＞図６（ｂ）＞図６（ａ）となり、熱容量では、図６（ａ）＞図６（ｂ）＞図６（ｃ）となる。温度上昇すなわち、図６（ａ）の床パネルは、断熱材（グラスウール５０ｍｍ以上）からなる基板６１と、この基板６１上に配置される合板等からなる荒床６２と、荒床６２上に配置される発泡ポリスチレン等からなるパネル材６３と、このパネル材６３上に配置される床材（フローリング）６４とを備え、パネル材６３に、熱媒（温水）が循環するパイプ６５が内装されている。そして、このパイプ６５をアルミ箔で覆っている。また、エラー! リンクが正しくありません。とパネル材６３との間にアルミ箔６６を介在させている。
【０００６】
また、図６（ｂ）の床パネルは、断熱材（グラスウール５０ｍｍ以上）からなる基板６１と、この基板６１上に配置される合板等からなる荒床６２と、この荒床６２上に配置される床材（フローリング）６４とを備え、この床材（フローリング）６４にパイプ６５が内装されている。また、エラー! リンクが正しくありません。と荒床６２との間にアルミ箔６６を介在させている。
【０００７】
さらに、図６（ｃ）の床パネルは、上記図６（ａ）の床パネルと同様、断熱材からなる基板６１と、この基板６１上に配置される荒床６２と、荒床６２上に配置されるパネル材６３と、このパネル材６３上に配置される床材（フローリング）６４とを備え、パネル材６３に、熱媒（温水）が循環するパイプ６５が内装されている。この際、隣合うパイプ材ピッチＰを上記図６（ａ）の床パネルよりも小さくすると共に、最上層のエラー! リンクが正しくありません。の厚さ寸法Ｔを上記図６（ａ）の床パネルよりも小さくしている。具体的には、図６（ａ）の床パネルでは、そのパイプ材ピッチＰが１５０ｍｍ程度であり、その床材６４の厚さ寸法Ｔが１２ｍｍ程度であり、図６（ｃ）の床パネルでは、そのパイプ材ピッチＰが７５ｍｍ程度であり、その床材６４の厚さ寸法Ｔが３ｍｍ程度である。
【０００８】
そして、上記図６（ａ）の床パネルでは、例えば、通常品は１２０Ｗ／ｍ２以下、上面方熱量を向上させたものは、１５０Ｗ／ｍ２以上で、３０分間の床面温度上昇が、通常品は９ｄｅｇとなり、上面放熱量向上品は１２ｄｅｇ（１８℃〜３０℃）以上となる。また、図６（ｂ）の床パネルは、表面材（フローリング）の中に温水パイプを埋め込んだ、いわゆる床材一体型床暖房パネルであり、さらに、図６（ｃ）の床パネルは、表面材とパネル材とが分離した、いわゆる分離型床暖房パネルである。
【０００９】
上記図６（ｂ）（ｃ）の床パネルでは、表面とパイプ６５の距離が近く、熱伝導性の良いアルミ箔でパイプ６５を覆っているので、放熱量が大きく立ち上がりが速くなる利点がある。しかしながら、温度むらが生じやすくなる。すなわち、パイプ６５が対応する部位と対応しない部位とで温度差が生じ、また、パイプ６５の入口近傍と出口近傍とで温度差が生じる。このため、パイプ材ピッチＰを小さくしたり、アルミ箔の量を増加させたり、パイプ６５内の循環する温水の循環量を増加させたりする必要があった。さらに、床材６４の厚さ寸法Ｔが小さいと、床としての強度が不足するため、床材の材質を変更したり、パネル材６３の強度を上げたりすると共に、固定方法を調節したりする必要があった。なお、パネルの厚さは建築上の制約があり、図６（ａ）のパネルでは厚さＴａが１２ｍｍとなり、図６（ｂ）のパネルでは厚さＴｂが１２ｍｍとなり、図６（ｃ）のパネルででは厚さ（Ｔ＋Ｔｃ）が１２ｍｍとなるのが主流である。
【００１０】
ところで、ヒートポンプは、圧縮機の吐出・吸入の圧力差が大きいと起動出来ない。また、水温が設定値の達したサーモオフ時等において圧縮機を一時停止すると、圧力差をなくす均圧の時間の後、再起動する必要がある。均圧時間は通常３分程度必要である。この時間内にも床温が低下する。そして、ヒートポンプの冷媒として、Ｒ３２、Ｒ４１０ＡのようなＨＦＣ冷媒を使用する場合、Ｒ２２等に比べて、作動圧力が高く、油の粘度も高いものを使用することになり、均圧に時間がかかる。また、ヒートポンプの冷媒として、二酸化炭素、炭化水素のような高圧の冷媒を使用する場合、ＨＦＣ冷媒よりも、より作動圧力が高く均圧に時間がかかる。この場合、高温水を使用するため、温度変化も起こり易い。
【００１１】
このように、温水の熱を効率良く暖房熱等するために、種々の床パネルがあり、床暖房機器５２の床パネルは、熱容量が小さく、かつ熱抵抗が小さいものを使用するのが好ましい。また、床面放熱率（温水の熱が暖房熱として床の上面に放熱される率）としては、大となるのが好ましい。しかしながら、このように熱容量が小さい場合等においては、僅かな水温変化で床面温度（床パネル温度）の変動が大となる。また、床面放熱率が大きいと、床暖房機器５２の入口５２ａ側の水温（往き温水の温度）と、床暖房機器５２の出口５２ｂ側の水温（戻り温水の温度）との温度差が拡大して、床パネルに温度むらが生じるおそれがある。
【００１２】
このため、熱容量等が小さい床パネルを使用すれば、僅かな水温変化で床面温度が大きく変動したり、往き温水の温度と戻り温水の温度との温度差が拡大したりするので、戻り温水の温度に基づく温度制御を行えば、床暖房運転開始の立上げ時や床面の設定温度変更時やデフロスト運転から通常の運転復帰時等に、床暖房機器５２に流入する温水の温度が高くなって、床面の温度が高くなりすぎるおそれがある。
【００１３】
この発明は、上記従来の欠点を解決するためになされたものであって、その目的は、床暖房機器の床面の温度が高くなりすぎずに安定した温度に設定できる床暖房装置を提供することにある。
【課題を解決するための手段】
【００１４】
そこで請求項１の床暖房装置は、ポンプ７と床暖房機器３とを配管で接続することにより熱媒循環経路１を構成し、上記ポンプ７を駆動することによって、加熱源により加熱された熱媒を上記熱媒循環経路１内に循環供給するようにした床暖房装置において、定常時の温度制御とは別に、床暖房機器３への往き側の熱媒温度の上限値を設けたことを特徴としている。
【００１５】
上記請求項１の床暖房装置では、床暖房機器３への往き側の熱媒温度の上限値を設けたので、床暖房機器３の床面の温度が高くなり過ぎるのを防止することができる。
【００１６】
請求項２の床暖房装置は、立上運転開始時に、定常運転時よりも熱媒温度を高くすることを特徴としている。
【００１７】
上記請求項２の床暖房装置では、立上運転開始時に、定常運転時よりも熱媒温度を高くするので、立上げを早く行うことができる。
【００１８】
請求項３の床暖房装置は、立上運転開始時から上記上限値を順次低下させることを特徴としている。
【００１９】
上記請求項３の床暖房装置では、立上運転開始時から上記上限値を順次低下させるので、通常運転時における床暖房機器３の床面の温度を高くなり過ぎるのを確実に防止することができる。また、温度の急激な変動も防止できる。
【００２０】
請求項４の床暖房装置は、上記加熱源はヒートポンプによって加熱される水熱交換器２１であり、上記床暖房機器３への往き側の熱媒温度に代えて、上記水熱交換器２１の温度を用いることを特徴としている。
【００２１】
上記請求項４の床暖房装置では、暖房機器３への往き側の熱媒温度に代えて、上記水熱交換器２１の温度を用いることになる。この際、往き側の熱媒温度、つまり往き側の温水の温度（往き水温）と、水熱交換器２１の温度（凝縮温度）とはほぼ同じであるので、この上記水熱交換器２１の温度を用いても、上記請求項１と同様の制御が可能である。なお、戻り側の温水の温度（戻り水温）が低く、大きな能力を出しているときには、往き水温＜水熱交換器２１の温度（凝縮温度）となり、戻り水温が高く、能力が小さきときには、往き水温≒水熱交換器２１の温度（凝縮温度）となる。
【００２２】
請求項５の床暖房装置は、往き側の設定温度と熱媒温度の検知値との差に基づいて上記上限値の補正を行うことを特徴としている。
【００２３】
上記請求項５の床暖房装置では、往き側の設定温度と熱媒温度の検知値との差に基づいて上記上限値の補正を行うことができるので、例えば、差が大きく、高い温度を要求されているときには、やや高めの温度にすることができ、設定温度に近づけば、熱くなり過ぎ無いように補正することができる。すなわち、高精度の制御を行うことができる。
【００２４】
請求項６の床暖房装置は、上記床暖房機器３に使用するパネルの熱容量等のパネル特性に応じて、上記上限値又は各段階での上限値温度時間のいずれか少なくとも一方を切換える制御手段３８を設けたことを特徴としている。
【００２５】
上記請求項６の床暖房装置では、床暖房機器３に使用するパネルの熱容量等のパネル特性に応じて、床暖房機器３への往き側の温水温度の上限値等を切換えることができるので、使用する床パネル４に応じて床暖房機器３の床面の温度が高くなりすぎないように調整することができる。
【発明の効果】
【００２６】
請求項１の床暖房装置によれば、床暖房機器の床面の温度が高くなり過ぎるのを防止することができ、ユーザは快適に過ごすことができる。
【００２７】
請求項２の床暖房装置によれば、立上げを早く行うことができるので、床面の温度を短時間に快適温度にすることができる。
【００２８】
請求項３の床暖房装置によれば、通常運転時における床暖房機器の床面の温度を高くなり過ぎるのを確実に防止することができ、しかも、温度の急激な変動も防止できる。このため、ユーザは安心して快適に過ごすことができる。
【００２９】
請求項４の床暖房装置によれば、上記請求項１と同様の制御が可能であるので、この場合であっても、床暖房機器の床面の温度が高くなり過ぎるのを防止することができ、ユーザは快適に過ごすことができる。
【００３０】
請求項５の床暖房装置によれば、高精度の制御を行うことができ、床面の温度を安定した温度とすることができる。
【００３１】
請求項３の床暖房装置によれば、使用する床パネルに応じて床暖房機器の床面の温度が高くなりすぎないように調整することができる。このため、熱容量が相違する床パネルであっても、ユーザにとって快適に過ごすことができる床暖房装置を構成することができる。
【００３２】
請求項４の床暖房装置によれば、上限値の温度制御を確実に行うことができるので、この場合であっても、床暖房機器の床面の温度が高くなり過ぎるのを防止することができ、ユーザは快適に過ごすことができる。
【発明を実施するための最良の形態】
【００３３】
次に、この発明の床暖房装置の具体的な実施の形態について、図面を参照しつつ詳細に説明する。図１は床暖房装置の簡略全体図である。この床暖房装置は熱媒循環経路としての水循環経路１を備え、冷媒系統回路（ヒートポンプユニット）２にて加熱される温水（熱媒）を水循環経路１で循環させて、床暖房機器３を暖めるものである。また、床暖房機器３は、床パネル４と、この床パネル４の下方側に配置される温水循環パイプ５等を備える。そして、床パネル４としては、通常表面材と合わせて、デフロストに使用するのに十分な熱容量（物体の温度を単位温度だけ上昇させるのに要する熱量）を有している。
【００３４】
上記水循環経路１は、膨張タンク６と循環用ポンプ７とを介設された往き管８と、往きヘッダ９と、戻りヘッダ１０と、戻り管１１とを備える。また、往きヘッダ９は、主管接続部１２ａと複数の分岐管接続部１２ｂ・・とを有するヘッダ本体１２を備え、主管接続部１２ａに往き管８が接続され、分岐管接続部１２ｂに、開閉弁（熱動弁）１３が介設された分岐管１４が接続されている。さらに、戻りヘッダ１０は、主管接続部１５ａと複数の分岐管接続部１５ｂ・・とを有するヘッダ本体１５を備え、主管接続部１５ａに戻り管１１が接続され、分岐管接続部１５ｂに分岐管１６が接続されている。そして、往きヘッダ９側の一の分岐管１４に、温水循環パイプ５の入口に接続される往き配管１７が接続され、戻りヘッダ１０の一の分岐管１６に、温水循環パイプ５の出口に接続される戻り配管１８が接続される。このため、往きヘッダ９の分岐管１４の数及び戻りヘッダ１０の分岐管１６の数に応じて、複数の床暖房機器３を接続することができる。
【００３５】
また、冷媒系統回路（ヒートポンプユニット）２は、圧縮機２０と、水熱交換器２１と、空気熱交換器２２と、膨張弁２３と、四路切換弁２４と、アキュームレータ２５等を備える。すなわち、四路切換弁２４の一方の１次ポートが圧縮機２０の吐出管２６に接続され、四路切換弁２４の他方の１次ポートが圧縮機２０の吸込管２７に接続されている。また、この吸込管２７には、上記アキュームレータ２５が介設されている。四路切換弁２４の一方の２次ポートが水熱交換器２１に第１ガス管２８にて接続され、四路切換弁２４の他方の２次ポートが空気熱交換器２２に第２ガス管２９にて接続されている。さらに、水熱交換器２１と膨張弁２３とが第１液管３１にて接続され、膨張弁２３と空気熱交換器２２とが第２液管３２にて接続されている。また、空気熱交換器２２にはファン３３が付設されている。
【００３６】
また、往き配管１７には往き温水の温度を検知（検出）する往き水温検出手段３５が付設され、戻り配管１８には戻り温水の温度を検知（検出）する戻り水温検出手段３６が付設されている。さらに、水熱交換器２１には温度（凝縮温度）を検知（検出）する水熱交換器温度検出手段３７が付設されている。そして、各検出手段３５、３６、３７にて検出された各部位の温度は、図２に示すように、制御手段３８に入力される。また、各検出手段３５、３６、３７はそれぞれ温度検出サーミスタ等にて構成することができ、制御手段３８はこの床暖房装置の全体の制御を行うＣＰＵ等にて構成することができる。
【００３７】
次に、この床暖房装置の床暖房運転を説明する。まず、四路切換弁２４を図１の実線で示す状態に切換え、圧縮機２０を駆動する。すると、冷媒が、四路切換弁２４、水熱交換器２１、膨張弁２３、空気熱交換器２２、四路切換弁２４へと流れ、水熱交換器２１が凝縮器として機能し、空気熱交換器２２が蒸発器として機能する。そこで、上記ポンプ７を駆動すると、膨張タンク６内の温水が往き管８内へ流出し、往きヘッダ９等を介して、往き配管１７に流入して温水循環パイプ５を循環した後、戻り配管１８に返流されて、戻りヘッダ１０等を介して戻り管１１から、水熱交換器２１の熱交換路３０を流通する。このとき、上記のように、凝縮器として機能している水熱交換器２１によって、この熱交換路３０を流れる温水が加熱され、その後、膨張タンク６へと供給され、床暖房機器３がこの温水にて温められる。なお、この床暖房装置によれば、図１に示す状態から四路切換弁２４を切換えて、圧縮機２０を駆動すると、冷媒が、四路切換弁２４、空気熱交換器２２、膨張弁２３、水熱交換器２１、四路切換弁２４へと流れて、空気熱交換器２２が凝縮器として機能し、水熱交換器２１が蒸発器として機能するようにすれば、温水が冷却され、これによって床冷房運転を行うことが可能となる。
【００３８】
そして、この床暖房装置では、定常時の温度制御とは別に、床暖房機器３への往き側の温水温度の上限値を設定することになる。すなわち、設定手段３９（図２参照）にて上限値を設定し、上記往き水温検出手段３５にて検出する往き温水の温度がこの上限値を越えないようにする。この際、圧縮機の運転周波数を制限することによって、設定した上限値を越えないようにすることができる。このように、床暖房機器３への往き側の温水温度の上限値を設ければ、熱容量等が小さい床パネルを使用することによって往き温水と戻り温水との温度差が拡大しやすいもの等となっていても、往き温水の温度が高く成り過ぎず、床暖房機器３の床面の温度が高くなり過ぎるのを防止することができ、ユーザは快適に過ごすことができる。ここで、上記定常時の温度制御とは、戻り水温を検知して温水温度を調整したり、床面温度を検知して温水温度を調整したり、空気温度を検知して温水温度を調整したりする制御をいう。
【００３９】
ところで、この床暖房を立ち上げる時には、水循環経路１内の水や暖房を行う床の温度が低温になっている場合があり、このような状態で、床暖房を行えば、水熱交換器２１の凝縮量が大きくなって、この水熱交換器２１側の高圧を保持できず、正常な冷凍サイクルが形成されないことがある。このような場合には、充分な効率が得られず、また床暖立上が悪くなるおそれがある。そこで、床暖房立上時に、例えば、水熱交換器２１の凝縮温度を検知して、この検知温度が設定基準値以下であれば、ポンプ７の回転駆動を停止する。つまり、水循環経路１の水循環を停止する。この間に、水熱交換器２１の凝縮温度を上昇させる。逆に、検知温度が設定基準値を超えれば、ポンプ７を回転駆動させて、水循環経路１の水循環を行うようにする。これによって、水循環状態では、十分な高圧を得ることができ、正常な冷凍サイクルを形成することが可能となって、立上がりも良いものとなる。
【００４０】
そして、この床暖房装置では、立上運転開始時に、例えば、図３に示すように、上限値を６０℃、５５℃、５０℃、４５℃等に設定することができ、この際、上限値６０℃における時間ｔ１を１０分とし、上限値５５℃における時間ｔ２を５分とし、５０℃における時間ｔ３を５分としたりすることができる。すなわち、時間の経過と共に上限値（上限温度）を順次下げていくことになり、この図３では、通常運転時の往き側の温水温度の上限値を４５℃としている。この際、目標とする設定水温を設定して、この設定水温と実際の現在の水温との差を求め、この差の大きさによって上限値の温度や各段階での時間を変えることになる。なお、立上運転から通常状態の運転へは、例えば、タイマ手段を設け、床暖房運転開始から所定時間が経過すれば、上記立上運転の制御を解除するように構成すればよい。
【００４１】
このように、立上運転開始時から上限値を順次低下させれば、通常運転時における床暖房機器３の床面の温度を高くなり過ぎるのを確実に防止することができ、しかも、温度の急激な変動も防止できる。このため、ユーザは安心して快適に過ごすことができる。また、立上運転開始時には、定常運転時よりも熱媒温度を高くしているので、立上げを早く行うことができる。
【００４２】
また、床暖房機器３に使用する床パネル４には、熱容量等のパネル特性が相違する種々のパネルがある。このため、床暖房機器３に使用するパネルの熱容量等のパネル特性に応じて、上記制御手段３８にて、上記上限値又は各段階での上限値温度時間のいずれか少なくとも一方を切換えるようにするのが好ましい。すなわち、熱抵抗等が小さい場合には、循環する水温の変化で床温変動が大きく、放熱量が大きい場合には、床暖房機器３の出口側と入口側との温度差が大となる。このため、熱容量等が小さい床パネルを使用すれば、僅かな水温変化で床面温度が大きく変動したり、往き温水の温度と戻り温水の温度との温度差が拡大したりするので、使用する床パネル４のパネル特性に応じて、設定手段３９にて上限値を設定すれば、使用する床パネル４に応じて床暖房機器３の床面の温度が高くなりすぎないように調整することができる。従って、熱容量が相違する床パネル４であっても、ユーザにとって快適に過ごすことができる床暖房装置を構成することができる。
【００４３】
ところで、上限値を決定する場合、水熱交換器温度検出手段３７にて検出した水熱交換器温度に基づくものであってよい。すなわち、戻り側の温水の温度（戻り水温）が低く、大きな能力を出しているときには、往き水温＜水熱交換器２１の温度（凝縮温度）となるが、戻り水温が高く、能力が小さきときには、往き水温≒水熱交換器２１の温度（凝縮温度）となるからである。このため、水熱交換器温度を使用しても、床暖房機器３への往き側の温水温度の上限値の温度制御を確実に行うことができ、床暖房機器３の床面の温度が高くなり過ぎるのを防止することができるからである。さらには、往き温水の温度に加えて、戻り水温検出手段３６にて検出した戻り温水や水熱交換器温度を利用するようにしてもよい。なお、上記往き水温検出手段３５にて検出する往き温水の温度や、戻り水温検出手段３６にて検出した戻り温水の温度を、定常運転時の床パネル４の温度を制御するために用いることになる。
【００４４】
ところで、この床暖房装置においては、床面温度（床パネル温度）が快適温度（設定温度）となるように、水循環経路１内の循環水の温度を制御することになる。この際、圧縮機２０の周波数を上昇させることによって、水循環経路１内の循環水の温度を上昇させ、この循環水の温度（水温）が設定した床面温度（快適温度）を越える温度となったときには、サーモ停止信号が発信されて、圧縮機２０の駆動が停止することになる。すなわち、一時運転停止となる。また、床暖房装置において、デフロスト運転を行う場合がある。デフロスト運転は、ヒートポンプユニット２において、水熱交換器２１にて熱回収を行う逆サイクル運転を行いつつ、ポンプ７を駆動して水循環経路１の循環水を循環させるものである。すなわち、この空気熱交換器２２の出口温度を検知する温度センサ（図示省略）の温度に基づいて、空気熱交換器２２に霜が付着しているか否かを判断し、空気熱交換器２２に霜が付着していると判断すれば、上記信号発生手段４０から、デフロスト開始信号が発信され、これによって、空気熱交換器２２の霜を取り除くためのデフロスト運転（除霜運転）を行うことになる。特に、ヒートポンプの冷媒として、Ｒ３２、Ｒ４１０ＡのようなＨＦＣ冷媒や、二酸化炭素、炭化水素のような超臨界域で使用するものを用いることによって、上記作用効果を顕著に発揮することになる。
【００４５】
このように、デフロスト運転終了後やサーモ停止後に、運転を再開する場合がある。この運転再開時においても上記制御と同様の制御を行うことになる。すなわち、デフロスト運転終了後に運転を再開する場合、例えば、図４に示すような運転を行う。この際、上限値を５５℃、５０℃、４５℃等に設定して、上限値５５℃における時間ｔ４を５分とし、上限値５０℃における時間ｔ５を５分としている。
【００４６】
なお、戻り水温の設定水温と現在の戻り水温（実際の温度）との差で、上限値を変化させる場合の補正値の一例を次の表１で示す。このように補正する場合、外気温度、室温、床温、初期水温等を組み合わせして補正してもよい。このため、次の表２で、床温の設定温度と現在の床温とで、上限値を変化させる場合の補正値の一例を示す。なお、表１と表２において、出口水温とは往き水温のことであり、各数値の単位は℃である。
【００４７】
【表１】
2006046703.tif 000003
【００４８】
【表２】
2006046703.tif 000004
【００４９】
以上にこの発明の具体的な実施の形態について説明したが、この発明は上記形態に限定されるものではなく、この発明の範囲内で種々変更して実施することができる。例えば、上記図３では、上限値を４段階の階段状に変化させ、図４では上限値を段階の階段状に変化させているが、これらの段数の増減は任意であり、設定する上限値の変更も任意であり、また直線状に変化させるものであってもよい。さらに、上記実施の形態では、往きヘッダ９と戻りヘッダ１０等を設けて、複数の床暖房機器３の接続を可能としているが、この際の分岐管１４、１６の数の増減は任意である。また、このような分岐管１４、１６を設けずに、接続される床暖房機器３が単数個であってもよい。さらに、熱媒としても温水ではない他の循環液を使用してもよい。さらに、実施の形態のような床暖房システムにおいて、室内の冷暖房を行う空調システムを備えたものであってもよい。
【図面の簡単な説明】
【００５０】
【図１】この発明の床暖房装置の実施形態を示す簡略全体図である。
【図２】上記床暖房装置の制御部の簡略ブロック図である。
【図３】上記床暖房装置の立上運転時の往き温水の上限値を示すグラフ図である。
【図４】上記床暖房装置の除霜運転終了後の往き温水の上限値を示すグラフ図である。
【図５】従来の床暖房装置の簡略全体図である。
【図６】床パネルを示し、（ａ）は一般的なパネルの断面図であり、（ｂ）は床材一体型のパネルの断面図であり、（ｃ）は分離型のパネルの断面図である。
【符号の説明】
【００５１】
１・・水循環経路、３・・床暖房機器、４・・床パネル、７・・ポンプ、２１・・水熱交換器、３８・・制御手段
【図１】
2006046703.tif 000005
【図２】
2006046703.tif 000006
【図３】
2006046703.tif 000007
【図４】
2006046703.tif 000008
【図５】
2006046703.tif 000009
【図６】
2006046703.tif 000010